(57)【要約】【課題】  所定のアプリケーションが共通に使用可能なインタフェースを提供することにより、移動通信端末機の位置情報検索方法が変更される場合にも、アプリケーションは何の変更もなしに当該情報を得ることが可能な移動通信端末機を用いた位置情報検索装置及び方法を提供する。【解決手段】  特定の端末機に対する位置情報検索を外部の位置情報サーバに要請する位置情報検索部と、所定のアプリケーションが要請した特定の端末機に対する位置情報の検索を前記位置情報検索部に伝達し、前記位置情報検索部からの位置情報を当該アプリケーションに伝送する位置情報処理部とを含む。【選択図】  図２
2005020708.tif 000002
【特許請求の範囲】
【請求項１】
特定の端末機に対する位置情報検索を外部の位置情報サーバに要請する位置情報検索部と、
所定のアプリケーションが要請した特定の端末機に対する位置情報の検索を前記位置情報検索部に伝達し、前記位置情報検索部からの位置情報を当該アプリケーションに伝送する位置情報処理部とを含むことを特徴とする移動通信端末機を用いた位置情報検索装置。
【請求項２】
前記位置情報検索部は、位置情報を要請或いは受信する多数の位置検索モジュールと、前記多数の位置検索モジュールを制御するＬＢＳ設定モジュールとを含むことを特徴とする請求項１記載の移動通信端末機を用いた位置情報検索装置。
【請求項３】
前記ＬＢＳ設定モジュールは、前記多数の位置検索モジュールに対する情報、及び現在デフォルトに設定された位置検索モジュールの情報を格納し、前記多数の位置検索モジュールの中から所定の位置検索モジュールを選択して位置情報の検索を要請することができることを特徴とする請求項２記載の移動通信端末機を用いた位置情報検索装置。
【請求項４】
前記位置情報処理部は、前記位置情報検索部から伝送された位置情報を、所定のアプリケーションに対して支援可能な形に変更して伝送することを特徴とする請求項１記載の移動通信端末機を用いた位置情報検索装置。
【請求項５】
アプリケーションが位置情報処理部に特定の端末機の位置情報を要請する段階と、
位置情報処理部が前記アプリケーションの要請を位置情報検索部に伝達する段階と、
位置情報検索部が前記位置情報処理部から伝達された特定の端末機に対する位置情報の検索を要請する段階と、
前記位置情報処理部が前記位置情報検索部からの位置情報を、当該アプリケーションが支援可能な形に変更して当該アプリケーションに伝送する段階とを含むことを特徴とする移動通信端末機を用いた位置情報検索方法。
【請求項６】
前記アプリケーションが位置情報処理部に特定の端末機の位置情報を要請する段階は、  前記アプリケーションが所定の位置検索方法を指定してインタフェースに位置の情報を要請する段階と、
前記アプリケーション指定の所定の位置検索方法を前記位置情報検索部に伝達する段階とをさらに含むことを特徴とする請求項５記載の移動通信端末機を用いた位置情報検索方法。
【請求項７】
前記位置情報処理部から伝達された特定の端末機に対する位置情報の検索を要請する段階は、
多数の位置検索モジュールの中から所定の位置検索モジュールを選択して位置情報の検索を要請する段階をさらに含むことを特徴とする請求項５記載の移動通信端末機を用いた位置情報検索方法。
【請求項８】
前記選択された所定の位置検索モジュールは、ＳＭＳ(Short Message Service)方式を用いて当該端末機の位置情報を要請或いは受信するモジュールであることを特徴とする請求項７記載の移動通信端末機を用いた位置情報検索方法。
【請求項９】
前記選択された所定の位置検索モジュールは、無線インターネット方式を用いて当該端末機の位置情報を要請或いは受信するモジュールであることを特徴とする請求項７記載の移動通信端末機を用いた位置情報検索方法。
【請求項１０】
前記選択された所定の位置検索モジュールは、ＧＰＳ(Global Positioning System)方式を用いて当該端末機の位置情報を要請或いは受信するモジュールであることを特徴とする請求項７記載の移動通信端末機を用いた位置情報検索方法。
【発明の詳細な説明】
【技術分野】
【０００１】
本発明は、移動通信端末機を用いた位置情報検索装置及び方法に関し、特に、移動通信端末機内のアプリケーションが位置情報及び各種情報を要請した場合、要請された位置情報及び各種情報をアプリケーションに支援可能な形に変更して伝送するインタフェースを提供する移動通信端末機を用いた位置情報検索装置及び方法に関する。
【背景技術】
【０００２】
図１は従来の位置情報検索装置を概略的に示す構成図である。アプリケーションの実行後、現在の位置情報を得るためには次の２つの方法を採用することができる。
一つの方法では、まず、無線インターネット及びダウンロードアプリケーションの実行が可能な移動通信端末機１０のアプリケーションが、ＬＢＳ(location-based services:位置情報サービス)を提供するサービス提供事業者２０に位置情報を要請すると、サービス提供事業者２０は位置情報サーバ３０にアプリケーションの要請を伝達する。よって、位置情報サーバ３０は移動通信端末機１０の位置情報を検索してサービス提供作業者２０に提供し、サービス提供事業者２０は位置情報サーバ３０からの位置情報を移動通信端末機１０のアプリケーションに伝送する。
【０００３】
ところが、この方法は、移動通信端末機１０内のアプリケーションが直接移動通信社の位置情報サーバ３０に接続して位置情報を得ることができなく、移動通信社の位置情報検索方法が変わる場合、サービス提供事業者２０は移動通信社の位置情報検索方法が変わる度に移動通信社の位置情報検索方法に合わせて新しいアプリケーションを作らなければならないという煩わしさがある。
【０００４】
他の方法では、サービス提供事業者１０と移動通信事業者の打ち合わせによって位置情報サーバ３０の使用権を得た後、アプリケーションが位置情報サーバ３０に位置情報検索を要請すると、位置情報サーバ３０は移動通信端末機１０の位置を計算するサーバ４０に位置計算を要請し、位置を計算するサーバ４０は移動通信端末機１０との通信を行って現在位置を計算した後、位置情報サーバ３０に計算値を伝送する。よって、位置情報サーバ３０は伝送された情報を移動通信端末機１０に知らせ、また、伝送された位置情報をサービス提供事業者２０に知らせる。すると、サービス提供事業者２０はその位置に相応する地図を移動通信端末機１０に送る。
【０００５】
したがって、移動通信端末機１０内のアプリケーションが直接移動通信社の位置情報サーバ３０に接続して位置情報を得ることができる利点があるが、移動通信社の位置情報検索方法が変わる場合、サービス提供事業者２０は移動通信社の位置情報検索方法が変わる度に移動通信社の位置情報検索方法に合わせて新しいアプリケーションを作らなければならないという煩わしさがある。
【０００６】
特許文献１の位置情報提供装置、通信端末、移動通信端末及び位置情報提供方法では、移動通信端末の位置情報を多数の位置測定方式を利用して取得可能な場合、サービス利用者の要望によって最適の位置測定方式を利用して移動端末の位置情報を取得して位置情報を提供するようにする位置情報提供装置を開始しているが、これは移動端末が求めた位置測定方式で位置測定センターが位置情報を取得した後指定された移動端末に送信することで、移動端末が必要な位置情報を直接得られないという問題点がある。
【特許文献１】韓国公開特許2002-057992
【発明の開示】
【発明が解決しようとする課題】
【０００７】
本発明は、かかる問題点を解決するためのもので、その目的は、所定のアプリケーションの位置情報要請によって獲得された位置情報及び各種情報を当該アプリケーションへの支援ができるように変更して伝送するインタフェースを提供することにある。
【０００８】
本発明の他の目的は、所定のアプリケーションが共通に使用可能なインタフェースを提供することにより、移動通信端末機の位置情報検索方法が変更される場合にも、アプリケーションは何の変更もなしに当該情報を得ることが可能な移動通信端末機を用いた位置情報検索装置及び方法を提供することにある。
【課題を解決するための手段】
【０００９】
上記目的を達成するために、本発明は、特定の端末機に対する位置情報検索を外部の位置情報サーバに要請する位置情報検索部と、所定のアプリケーションが要請した特定の端末機に対する位置情報の検索を前記位置情報検索部に伝達し、前記位置情報検索部からの位置情報を当該アプリケーションに伝送する位置情報処理部とを含む、移動通信端末機を用いた位置情報検索装置を提供する。
【００１０】
また、本発明は、アプリケーションが位置情報処理部に特定端末機の位置情報を要請する段階と、位置情報処理部が前記アプリケーションの要請を位置情報検索部に伝達する段階と、前記位置情報処理部からの特定の端末機に対する位置情報の検索を要請する段階と、前記位置情報処理部が前記位置情報検索部からの位置情報を当該アプリケーションに対して支援可能な形に変更して伝送する段階とを含む、移動通信端末機を用いた位置情報検索方法を提供する。
【発明の効果】
【００１１】
本発明によれば、所定のアプリケーションが共通に使用することが可能なインタフェースを提供することにより、移動通信端末機の位置情報検索方法が変更される場合にも、アプリケーションは何の変更もなしに当該情報を得ることができるという利点がある。
【００１２】
また、所定のアプリケーションの検索要請によって獲得された位置情報及び各種情報を当該アプリケーションへの支援ができるように変更して伝送することにより、アプリケーションは所望の情報を得ることができるという効果がある。
【００１３】
しかも、移動通信内のアプリケーションが位置情報サービスに必要な情報を得ることができるため、位置情報サービスを支援するための通信網の付加的な設備及び機能を追加する必要がないという効果がある。
【発明を実施するための最良の形態】
【００１４】
以下、添付図面に基づいて本発明の好適な実施例を詳細に説明する。
図２は本発明に係る移動通信端末機を用いた位置情報検索装置を概略的に示すブロック図である。図２に示すように、本発明に係る移動通信端末機を用いた位置情報検索装置はアプリケーション１００、位置情報処理部２００及び位置情報検索部３００を含んでいる。
【００１５】
アプリケーション１００は、任意の設定にしたがって特定の機能を行うもので、例えば特定の地域に対する位置情報のサービスを要請する。
位置情報処理部２００は、所定のアプリケーション１００が要請した特定の端末機に対する位置情報の検索を位置情報検索部３００に伝達するとともに、位置情報検索部３００からの位置情報を当該アプリケーション１００に伝送する。ここで、位置情報処理部２００は、位置情報検索部３００から伝送された位置情報を、当該アプリケーション１００が支援可能な形に変更して当該アプリケーション１００に伝送する。
【００１６】
位置情報検索部３００は、特定の端末機に対する位置情報の検索を外部の位置情報サーバに要請するもので、位置情報を要請或いは受信する多数の位置検索モジュールと、前記多数の位置検索モジュールを制御するＬＢＳ設定モジュールとを含む。ここで、位置検索モジュールは例えば、メッセージを用いて位置情報を提供するＤＢＭ(Data Burst Message)モジュール、無線インターネットの接続を用いて位置情報を提供する無線インターネットモジュール、使用者の現在位置及び所望の目的地を地図上に表示して位置情報を提供するＧＰＳ(Global Positioning System)モジュールなどと理解することができ、前記位置検索モジュール以外にも他の方式の位置検索モジュールを用いて位置情報を得ることができる。
【００１７】
また、ＬＢＳは移動端末機の位置、地理情報、周辺情報などを組み合わせて提供するサービスであって、ＬＢＳ設定モジュールは多数の位置検索モジュールに対する情報及び現在デフォルトに設定された位置検索モジュールの情報を格納している。そして、ＬＢＳ設定モジュールは多数の位置検索モジュールの中から所定の位置検索モジュールを選択して位置情報の検索を要請することができ、アプリケーション１００指定の位置検索モジュールに位置情報の検索を要請することもできる。
【００１８】
図３は本発明に係る移動通信端末機を用いた位置情報検索方法を概略的に示すフローチャートである。図３によれば、まず、所定のアプリケーション１００が位置情報処理部２００に特定の端末機の位置情報を要請すると（Ｓ１００）、位置情報処理部２００はアプリケーション１００の要請を位置情報検索部３００に伝達する（Ｓ１０２）。
【００１９】
その後、位置情報検索部３００は、位置情報処理部２００が特定の端末機に対する位置情報の検索要請時に位置情報を得る方法を指定したか否かをチェックする（Ｓ１０４）。
【００２０】
チェック結果、位置情報の検索方法が設定された場合（Ｓ１０４で「はい」）、ＬＢＳ設定モジュールは指定された位置検索方法が何なのかを確認し（Ｓ１０６）、設定された方法によって当該端末機に対する位置情報の検索を外部の位置情報サーバに要請する（Ｓ１０８）。ここで、位置情報を得る方法は例えばＤＢＭ方式、無線インターネット方式及びＧＰＳ方式などと理解することができる。
【００２１】
まず、設定された方法がＤＢＭ方式の場合、ＤＢＭモジュールはＤＢＭを用いて外部の位置情報サーバに特定の端末機に対する位置情報の検索を要請する（Ｓ１１０）。よって、外部の位置情報サーバは当該地域に対する位置情報を検索し、ＤＢＭ方式で検索された位置情報をＤＭＢモジュールに伝送する。
【００２２】
設定された方法が無線インターネット方式の場合、無線インターネットモジュールは無線インターネット方式で外部の位置情報サーバに接続して特定の端末機に対する位置情報の検索を要請する（Ｓ１１２）。よって、外部の位置情報サーバは当該地域に対する位置情報を検索し、検索された位置情報を無線インターネットモジュールに伝送する。
【００２３】
設定された方法がＧＰＳ方式の場合、ＧＰＳモジュールは端末機内のＧＰＳ機器に端末機に対する位置情報の検索を要請する（Ｓ１１４）。よって、ＧＰＳ機器は人工衛星を用いて当該地域に対する位置情報を検索し、検索された位置情報をＧＰＳモジュールに伝送する。
【００２４】
その後、位置情報検索部３００は伝送された特定の端末機の位置情報を位置情報処理部２００に伝送し（Ｓ１１６）、位置情報処理部２００は位置情報検索部３００からの位置情報を、当該アプリケーションが支援可能な形に変更して当該アプリケーションに伝送する（Ｓ１１８）。
【００２５】
一方、チェック結果、位置情報の検索方法が設定されていない場合（Ｓ１０４で「いいえ」）、ＬＢＳ設定モジュールは任意の設定にしたがって所定の位置検索モジュールを用いて当該端末機に対する位置情報の検索を要請する（Ｓ１０８）。ここで、ＬＢＳ設定モジュールは多数の位置検索モジュールのうち現在位置情報を得ることが可能な位置検索モジュールをチェックし、チェック結果、現在位置情報を得ることが可能な位置検索モジュールのうちデフォルトに所定の位置検索モジュールを設定する。例えば、現在、移動通信端末機に位置情報サービスが提供される方式によって、ＬＢＳ設定モジュールは同一の位置検索モジュールに位置情報の検索を要請することもでき、ＬＢＳ設定モジュールの任意によって所定の位置検索モジュールを選択して位置情報の検索を要請することもできる。
【００２６】
その後、位置情報処理部２００から位置情報検索の要請を受けると、ＬＢＳ設定モジュールはデフォルトに設定された所定の位置検索モジュールを用いて特定の端末機に対する位置情報の検索を要請する。ここで、デフォルトに設定された所定の位置検索モジュールは位置情報を得る方法の変更に伴って変更できる。
そして、段階Ｓ１１０ないし段階Ｓ１１８過程は、前述と同様に行われる。
【００２７】
図４は本発明の一実施例に係る移動通信端末機を用いた位置情報検索装置の内部構成図である。図４によれば、所定のアプリケーション１００が位置情報処理部２００（例えば、共通ＡＰＩ）を用いて特定の端末機に対する位置情報の検索を要請すると、共通ＡＰＩはアプリケーション１００の要請を位置情報検索部３００に伝送する。よって、ＬＢＳ設定モジュールは多数の位置検索モジュールの中から所定の位置検索モジュールを選択して外部の位置情報サーバに当該端末機の位置情報を要請する。ここで、ＬＢＳ設定モジュールは多数の位置検索モジュールのうち、現在位置情報を得ることが可能な位置検索モジュールをデフォルトに設定した後当該端末機の位置情報を要請し、多数の位置検索モジュールは例えばＤＢＭモジュール、無線インターネットモジュール及びＧＰＳモジュールなどと理解することができる。
【００２８】
例えば、ＤＢＭ方式によって位置情報の検索を要請する場合、ＬＢＳ設定モジュールはＤＢＭモジュールを用いて外部の位置情報サーバに特定の端末機に対する位置情報の検索を要請する。よって、外部の位置情報サーバは当該端末機に対する位置情報を検索し、ＤＢＭ方式で検索された位置情報をＤＢＭモジュールに伝送する。
【００２９】
また、無線インターネット方式によって位置情報の検索を要請する場合、ＬＢＳ設定モジュールは、無線インターネットモジュールを用いて外部の位置情報サーバに特定の端末機に対する位置情報の検索を要請する。よって、外部の位置情報サーバは当該端末機に対する位置情報を検索し、検索された位置情報を無線インターネットモジュールに伝送する。
【００３０】
一方、ＧＰＳ方式によって位置情報の検索を要請する場合、ＬＢＳ設定モジュールはＧＰＳモジュールを用いて端末機内のＧＰＳ機器に特定の端末機に対する位置情報の検索を要請する。よって、ＧＰＳ機器は人工衛星を用いて当該端末機に対する位置情報を検索し、検索された位置情報をＧＰＳモジュールに伝送する。
【００３１】
一方、所定のアプリケーション１００が所定の位置検索方法を設定して特定の端末機に対する位置情報の検索を要請した場合、ＬＢＳ設定モジュールはアプリケーション１００設定の位置検索方法によって当該端末機の位置情報を要請する。
【００３２】
その後、ＬＢＳ設定モジュールは前記検索された位置情報を共通ＡＰＩに伝送し、これにより共通ＡＰＩはＬＢＳ設定モジュールから受信した位置情報を、当該アプリケーション１００が支援可能な形に変更して当該アプリケーションに伝送する。
【００３３】
よって、所定のアプリケーション１００は、移動通信端末機の位置情報獲得方法に関係なく、所望の情報を得ることができる。
【００３４】
以上、本発明について詳細に記述したが、本発明の属する技術分野で通常の知識を有する者であれば、特許請求の範囲に定義された本発明の精神及び範囲から逸脱することなく、本発明を様々に変形又は変更して実施可能なのは明らかなことである。したがって、本発明の実施例に係る単純な変更は本発明の技術から外れることができない。
【図面の簡単な説明】
【００３５】
【図１】従来の位置情報検索装置を概略的に示す構成図である。
【図２】本発明に係る移動通信端末機を用いた位置情報検索装置を概略的に示すブロック図である。
【図３】本発明に係る移動通信端末機を用いた位置情報検索方法を概略的に示すフローチャートである。
【図４】本発明の一実施例に係る移動通信端末機を用いた位置情報検索装置の内部構成図である。
【符号の説明】
【００３６】
１００    アプリケーション
２００    位置情報処理部
３００    位置情報検索部
【図１】
2005020708.tif 000003
【図２】
2005020708.tif 000004
【図３】
2005020708.tif 000005
【図４】
2005020708.tif 000006